(57)【要約】【課題】被検者自身によって電極の着脱を自由に行うことができ、発汗等により電極が被検者の体表から剥がれる心配をなくし、長期間の電極の貼着によるかぶれ、かゆみ等の発生を防止し、かつ、被検者ができるだけ意識せずに自由に体を動かすことができる心電図用電極装着帯を提供すること。【解決手段】少なくとも一部が弾性体３からなり、装着したときに、弾性体３の付勢力によって、被検者２の右肩後部２ａから右肩上部２ｂを介して右肩前部２ｃ、右前胸部２ｄから右側胸部２ｅを介して右背部２ｆ、及び左前胸部２ｊから左側胸部２ｋを介して左背部２ｌにかけて体表に密着され、胸部中心部２ｊを回避するように形成された着帯部４と、着帯部４の、体表に密着される部分に各々設けられた電極５ａ乃至５ｃと、を備えることを特徴とする心電図用電極装着帯１。【選択図】      図１
2004261282.tif 000002
【特許請求の範囲】
【請求項１】
少なくとも一部が弾性体からなり、被検者が装着したときに、該弾性体の付勢力によって、少なくとも該被検者の左右何れか一方の側の肩後部から同側の肩上部を介して同側の肩前部にかけて体表に密着される第１着帯部と、少なくとも一部が弾性体からなり、前記被検者が装着したときに、該弾性体の付勢力によって、右前胸部から右側胸部を介して右背部、及び左前胸部から左側胸部を介して左背部にかけて体表に密着される第２着帯部とからなり、胸部中心部を回避するように形成された着帯部と、
前記着帯部の、前記体表に密着される部分のうち、前記一方の側の肩後部から同側の肩上部、前記右前胸部から右側胸部を介して右背部、及び前記左前胸部から左側胸部を介して左背部にかけて密着される部分の何れか２つ又は３つの部分に各々設けられた電極と、を備えることを特徴とする心電図用電極装着帯。
【請求項２】
少なくとも一部が弾性体からなり、被検者が装着したときに、該弾性体の付勢力によって、少なくとも該被検者の左右何れか一方の側の肩後部から同側の肩上部を介して同側の肩前部にかけて体表に密着される第１着帯部と、少なくとも一部が弾性体からなり、前記被検者が装着したときに、該弾性体の付勢力によって、右前胸部から右側胸部を介して右背部、及び左前胸部から左側胸部を介して左背部にかけて体表に密着される第２着帯部とからなり、胸部中心部を回避するように形成された着帯部と、
前記着帯部の、前記体表に密着される部分のうち、前記一方の側の肩後部から同側の肩上部を介して同側の肩前部、前記右背部、及び前記左背部にかけて密着される部分の何れか２つ又は３つの部分に各々設けられた電極と、を備えることを特徴とする心電図用電極装着帯。
【請求項３】
前記電極が移動可能に設けられたことを特徴とする請求項１又は２記載の心電図用電極装着帯。
【発明の詳細な説明】
【０００１】
【発明の属する技術分野】
本発明は、心電図を記録するために、被検者の体表に取り付ける電極、該電極の着脱具等に関する。
【０００２】
【従来の技術】
心機能の測定等は、被検者の体表に生じる電圧の変化を記録した心電図により行われる。心電図を取得する場合、銀、塩化銀等からなる電極を被検者の胸部等に粘着剤によって貼着したり、減圧を利用して体表に吸着させたりすることで固定し、各電極から取得される信号を増幅器を介して増幅し、記録紙上に印刷、若しくはディスプレイ上に表示する。
【０００３】
患者に時々起こる心臓の発作を記録したり、１日当たりの心臓の発作の回数をはかるため、或いは、数時間周期で変動する生体リズムの研究や、自律神経活性から突然死の予測や、生命予後の判定等に利用するために、昼夜を問わず２４時間から数日間連続して心電図を記録する場合があり、このような場合に、図４に示すような、ホルター心電計等の携帯型心電計９を利用して心電図の記録が行われる。
【０００４】
該携帯型心電計９を使用して心電図を記録する場合や発作時の心電図のみを記録する場合は、多数の電極１０が医師等の専門知識を有する者により被検者２の胸部の体表の特定部位に粘着剤、絆創膏等を使用して貼着され、これら電極１０から取得される信号を前記携帯型心電計９に記録するものであり、記録されたデータは、心電図として紙上若しくはディスプレイ上に表示するために、病院等に設置されている心電図測定装置等によって処理される。
【０００５】
また、入院中の患者の不整脈や心臓発作の監視等を行うために、常時、患者の体表に多数の電極を貼着し、数時間ないし四六時中常に、心電図の異常等を監視し、記録する、いわゆるモニター心電図がとられる場合がある。この場合には、患者に貼着された電極と、該電極から信号を取得して解析、表示等する大型の心電図測定装置とが配線で繋がったものや、電極から取得する信号を無線により前記心電図測定装置へ送信する無線方式のものが使用される。電極と前記心電図測定装置が配線で繋がった測定装置によれば、患者は前記心電図測定装置から離れることができず、行動が一定範囲に制限される。又、前記無線方式の測定装置によれば、患者は、前記心電図測定装置から離れて行動できるものの、患者に貼布された電極から衣服の外側に配線で繋がった無線発振器を常時携帯しなければならない。
【０００６】
なお、従来の心電図用装着具として、人体の前面上半身を覆う可撓性シートからなるホルダーに電極が固定して取り付けられた心電図用装着具が知られている（例えば、特許文献１参照）。
【０００７】
また、胸部に取り付ける可撓性材料からなるエプロンに電極がはめ込まれて固定された心電図用装着具が知られている。なお、このエプロンは両肩部および胸部中心部を含む部分を覆っている（例えば、特許文献２参照）。
【０００８】
さらに、編織物からなる着身具に着脱自在な電極が取り付けられた心電図用装着具が知られている。なお、この着身具は両肩部および胸部中心部を幅広の編織物にて覆っている（例えば、特許文献３参照）。
【０００９】
【特許文献１】
特開２００１−２１２０９３号公報（第１−４頁、図１、図２）
【特許文献２】
特表平１１−５１３５８４号公報（第３−５頁、図１）
【特許文献３】
特開平６−７０８９７号公報（第４−５頁、図１）
【００１０】
【発明が解決しようとする課題】
ところが、前記携帯型心電計９により心電図を記録する場合には、多数の電極１０が粘着剤により被検者の体表の特定部位に貼着されることから、被検者２が電極を一旦外して再び同じ部位に貼着することは困難であり、被検者２が病院から帰宅した後、自分自身で電極１０を外して入浴すること等は制限され、日常生活において不自由を強いられていた。
【００１１】
一方、前記モニター心電図を常時測定しなければならない入院患者等にあっては、貼着された多数の電極のうち１つの電極でも剥がれ落ちると正確に心臓発作等の異常を発見することができず、患者の生命の安否に関わる場合もあり、病院等の計測者の監視負担が大きかった。
【００１２】
また、前記モニター心電図を記録する場合には、上記したように、多数の電極と心電図測定装置とが配線で繋がっているため、及び上記した電極の剥がれを防止するために、被検者２の行動範囲をベッド上や病棟内に制限する必要があること、配線で繋がっているため病棟内歩行が許されていても無線発振器の携帯を忘れないように常に意識していなければならないことなど、モニター心電図の測定は患者にとって辛いものとなっていた。
【００１３】
また、このモニター心電図をとる場合、及び前記携帯型心電計９により心電図をとる場合の何れの場合においても、配線が引っ張られたり、被検者２の発汗等によって、体表に貼着されている電極１０が剥がれ落ちるという問題があり、特に汗をかきやすい夏場等は、注意を要した。
【００１４】
さらにまた、上記電極１０は、粘着材等を用いて被検者２の体表に固定されるほか配線の煩わしさもあり、被験者２に電極１０が貼着されていることを意識させることなく心電図を記録することは困難であった。例えば、長期間に渡って電極１０を体表に貼着することで、皮膚にかぶれ、かゆみが生じたり、眠っている間に無意識に電極１０を外してしまうことがある。
【００１５】
さらに、特許文献１乃至３に開示されるような従来の心電図用装着具は、胸部全体または胸部中心部を覆っていたので、装着した場合に違和感や拘束感等が生じる。このため、被検者は該心電図用電極装着帯の装着を意識し、上半身を自由に動かして、普段通りの生活を送ることができなかった。
【００１６】
本発明は、上記した事情や問題に鑑みてなされたものであり、被検者自身によって電極の着脱を自由に行うことができ、モニター心電図を常時記録しなければならない入院患者の行動範囲の制限を緩和し、発汗等により電極が被検者の体表から剥がれる心配をなくし、長期間の電極の貼着によるかぶれ、かゆみ等の発生を防止し、かつ、被検者にできるだけ意識させずに自由に体を動かすことができる心電図用電極装着帯を提供することを目的とする。
【００１７】
【課題を解決するための手段】
上記目的を達成するために、請求項１記載の心電図用電極装着帯は、少なくとも一部が弾性体からなり、被検者が装着したときに、該弾性体の付勢力によって、少なくとも該被検者の左右何れか一方の側の肩後部から同側の肩上部を介して同側の肩前部にかけて体表に密着される第１着帯部と、少なくとも一部が弾性体からなり、前記被検者が装着したときに、該弾性体の付勢力によって、右前胸部から右側胸部を介して右背部、及び左前胸部から左側胸部を介して左背部にかけて体表に密着される第２着帯部とからなり、胸部中心部を回避するように形成された着帯部と、前記着帯部の、前記体表に密着される部分のうち、前記一方の側の肩後部から同側の肩上部、前記右前胸部から右側胸部を介して右背部、及び前記左前胸部から左側胸部を介して左背部にかけて密着される部分の何れか２つ又は３つの部分に各々設けられた電極と、を備えることを特徴としている。
【００１８】
請求項２記載の心電図用電極装着帯は、少なくとも一部が弾性体からなり、被検者が装着したときに、該弾性体の付勢力によって、少なくとも該被検者の左右何れか一方の側の肩後部から同側の肩上部を介して同側の肩前部にかけて体表に密着される第１着帯部と、少なくとも一部が弾性体からなり、前記被検者が装着したときに、該弾性体の付勢力によって、右前胸部から右側胸部を介して右背部、及び左前胸部から左側胸部を介して左背部にかけて体表に密着される第２着帯部とからなり、胸部中心部を回避するように形成された着帯部と、前記着帯部の、前記体表に密着される部分のうち、前記一方の側の肩後部から同側の肩上部を介して同側の肩前部、前記右背部、及び前記左背部にかけて密着される部分の何れか２つ又は３つの部分に各々設けられた電極と、を備えることを特徴としている。
【００１９】
請求項３記載の心電図用電極装着帯は、請求項１又は２記載の心電図用電極装着帯において、前記電極が移動可能に設けられたことを特徴としている。
【００２０】
【発明の実施の形態】
以下、本発明の実施の形態に係る心電図用電極装着帯について図面に基づき説明する。図１に示すように、前記心電図用電極装着帯１は、第１着帯部４ａと第２着帯部４ｂとからなる着帯部４と、３つの電極５ａ、５ｂ、５ｃとを備えるものである。第１着帯部４ａは、被検者２が装着したときに、被検者２の右肩後部２ａから右肩上部２ｂを介して右肩前部２ｃにかけて体表を覆いつつ、適所に設けられた弾性体３の付勢力によって、被検者２の体表に密着される。第２着帯部４ｂは、被検者２が装着したときに、右前胸部２ｄから右側胸部２ｅを介して右背部２ｆ、及び左前胸部２ｊから左側胸部２ｋを介して左背部２ｌにかけて体表を覆いつつ、適所に設けられた弾性体３の付勢力によって、被検者２の体表に密着される。着帯部４は、胸部中心部２ｎを回避するように形成されている。電極５ａは、前記右肩後部２ａから右肩上部２ｂを介して右肩前部２ｃにかけて被検者２の体表に密着される部分に、電極５ｂは、前記右前胸部２ｄから右側胸部２ｅを介して右背部２ｆにかけて被検者２の体表に密着される部分に、電極５ｃは、前記左前胸部２ｊから左側胸部２ｋを介して左背部２ｌにかけて被検者２の体表に密着される部分に各々設けられる。前記電極５ａは右肩後部２ａから右肩上部２ｂを介して右肩前部２ｃまでの範囲にて移動可能に設けられる。なお、右背部２ｆ及び左背部２ｌとは、被検者２の背部を左右方向に三分したとき、右方の背部及び左方の背部をそれぞれ意味し、右側胸部２ｅ及び左側胸部２ｋとそれぞれ隣接する。また、胸部中央部２ｍとは、被検者２の右前胸部２ｄと左前胸部２ｊとの中間近傍を意味する。また、胸部中心部２ｎとは、被検者２の胸部中央部２ｍより上かつ首よりも下の胸部を意味し、女性の乳房を含む。
【００２１】
単に心電図モニターとして使用する場合など、標準肢誘導に近似する心電図を取得する必要がない場合には、前記３つの電極５ａ、５ｂ、５ｃのうち何れか１つの電極を省略し、前記着帯部４に設ける電極を２つにしてもよい。また、前記心電図用電極装着帯１を左右対称形状のものとしてもよい。すなわち、被検者２の右肩後部２ａから右肩上部２ｂを介して右肩前部２ｃにかけて設けられた着帯部４と電極５ａとの代わりに、左肩後部２ｇから左肩上部２ｈを介して左肩前部２ｉにかけて着帯部と電極とを備えていてもよい。
【００２２】
被検者２の体表に密着する前記着帯部４として、例えば、図１に示すように、被検者２の右側胸部２ｅから右肩前部２ｃ、右肩上部２ｂ及び右肩後部２ａを介して背部中央部にかけて体表を覆うように設けられた第１着帯部としての帯状縦布地４ａが、右前胸部２ｄ、右側胸部２ｅ、右背部２ｆ、左前胸部２ｊ、左側胸部２ｋ、及び左背部２ｌにかけて体表を覆うように環状に設けられた第２着帯部としての帯状環布地４ｂの右側胸部２ｅと背部中央部にて接合されてなるものがある。前記電極５ａ乃至５ｃを設ける部分の生地を除いて、ゴム素材等からなる弾性体３が使用されており、被検者２が装着したときに該着帯部４全体が被検者２の体表にピッタリと密着するようになっている。帯状縦布地４ａの帯幅は、帯状環布地４ｂの帯幅よりも細くなっている。
【００２３】
なお、該着帯部４の形状は、前記電極５ａ乃至５ｃを被検者２の体表の特定部位に配置し、これを付勢力により密着するものであれば上記した形状に限定されない。
【００２４】
前記電極５ａは、被検者２の体格の相違等に従い最適な部位に位置させるために、被検者２の右肩後部２ａから右肩上部２ｂを介して右肩前部２ｃまでの範囲の全域またはその一部分を移動させることができる。図１においては、前記電極５ａの移動及び固定のために、該電極５は帯状縦布地４ａに巻着された電極取付部８の裏面に設けられている。従って、通常該電極取付部８は帯状縦布地４ａとの摩擦力により一定位置に留まるようになっているが、病院の心電図用計測担当者等又は被検者２の手で、帯状縦布地４ａに沿って所望の位置に移動させることもできるようになっている。該電極取付部８の裏面に設けられる前記電極５ａは固定または脱着可能に設けられる。なお、前記電極５ａの移動及び固定手段は電極取付部８に特に限定されない。例えば、前記電極５ａの着帯部４への取付を、マジックテープ（Ｒ）等の面ファスナ、スナップ等によって着脱可能にして、前記電極５ａを移動及び固定できるものとしてもよい。
【００２５】
また、図２に示すように、前記電極５ａ乃至５ｃ全部を、被検者２の体格の相違等に従い最適な部位に位置させるために移動させることができるように構成してもよい。この場合、前記電極５ａは被検者２の右肩後部２ａから右肩上部２ｂを介して右肩前部２ｃまでの範囲を、前記電極５ｂは被検者２の右前胸部２ｄから右側胸部２ｅを介して右背部２ｆまでの範囲を、前記電極５ｃは被検者２の左前胸部２ｊから左側胸部２ｋを介して左背部２ｌまでの範囲を、これら範囲の全域または一部分において各々移動させることができようにしてもよい。
【００２６】
前記電極５ａ乃至５ｃ同士を絶縁するために、前記着帯部４（図１）の材料には、非導電性のものが使用されていればよく、その材料を布地等に限定する必要はない。例えば、紙等の比較的安価で使い捨ての可能なものを使用して前記着帯部４を構成し、図３に示すように、前記電極５ａ乃至５ｃの該着帯部４への取付を、面ファスナ、スナップ等によって着脱可能に付着するものとすれば、前記電極５ａ乃至５ｃ、心電図信号処理器６及び配線Ｌを取り外して該着帯部４のみを使い捨てることが可能である。
【００２７】
前記電極５ａ乃至５ｃの材料には、可撓性導電体が使用されており、被検者２が前記心電図用電極装着帯１を装着したときに、被検者２の体表に沿って更にピッタリと密着するようになっている。これにより、安定した信号を検出することができる。該可撓性導電体としては、被検者２が前記心電図用電極装着帯１を装着した状態において、被検者２の体表に沿って撓むものであればよく、例えば、可撓性導電性糸と非導電性糸との織成体からなる導電性生地や、可撓性導電糸のみで織成されたもの、導電物質が樹脂フィルムにメッキ、練り込み、プリント等された導電フィルム等を使用することもできる。
【００２８】
また、前記可撓性導電体は、被検者２の体表にピッタリと密着するように設けられていればよく、その設け方は特に限定されない。例えば、前記着帯部４の電極を設けるべき部分に可撓性導電性糸と非導電性糸との織成体からなる導電性生地を採用したり、該可撓性導電体を着帯部４の体表側面に縫着したり、或いは前記したように面ファスナ等を使用して前記可撓性導電体を付着させることにより設けてもよい。また、非可撓性のものであっても、被検者２の体表の形状に合致する曲面形状の導電体や、素材自体が柔らかい導電体など、被検者２が違和感なく装着できる導電体を使用することも可能である。なお、前記電極５ａ乃至５ｃの広さ、形状等は、特に限定されず、体表の電位を十分に検出することができる程度のものであればよい。例えば、一辺が２ｃｍないし５ｃｍ位の矩形状の電極を使用することが可能である。
【００２９】
前記着帯部４には、前記３つの電極５ａ乃至５ｃから取得する信号を記録する心電図信号記録器（心電図信号処理器）６が、前記着帯部４内に埋め込まれた配線Ｌを介して接続され、該心電図信号記録器６が前記着帯部４の胸部中央部２ｍ内あるいは下方に設けられたホルダー７に収納されている。このため、被検者２は、前記心電図用電極装着帯１を着脱する際に、前記心電図信号記録器６と前記電極５ａ乃至５ｃの間を繋ぐ配線Ｌ等を外すことなく、そのまま着脱することができると同時に、前記配線Ｌが腕に引っ掛かるなど邪魔になることもない。すなわち、該心電図信号記録器６と心電図用電極装着帯１の着脱を同時に行うことができ、被検者２が、電極５ａ乃至５ｃと該心電図信号記録器６を接続する配線Ｌ等を外す手間を省くことができる。また、ホルダー７が胸部中央部２ｍ内あるいは下方に設けられると、心電図信号記録器６が被検者２の体の真中付近に位置し左右に重心が偏らずに安定する。なお、前記ホルダー７が設けられる位置は前記胸部中央部２ｍ内あるいは下方に限定されず、被検者２が前記心電図信号記録器６等を出入れし易くかつ安定し、日常生活動作を邪魔しない位置であれば、前記着帯部４における他の位置であってもよい。
【００３０】
つぎに、前記心電図用電極装着帯１を使用して心電図測定を行う場合について説明する。この場合、病院の心電図計測担当者等が、予め前記心電図信号記録器６と前記３つの電極５ａ乃至５ｃを配線Ｌにより接続して前記着帯部４のホルダー７に収納しておき、これを被検者２は、素肌の上に装着する。そうすると、該着帯部４の弾性体３の付勢力によって着帯部４及び前記電極５ａ乃至５ｃが被検者２の体表に沿ってピッタリと密着し、なおかつ、各電極５ａ乃至５ｃが各々測定すべき被検者２の体表の特定部位、すなわち、被検者２の右肩後部２ａから右肩上部２ｂを介して右肩前部２ｃ、右前胸部２ｄから右側胸部２ｅを介して右背部２ｆ、左前胸部２ｊから左側胸部２ｋを介して左背部２ｌの各部分に自然に配置され、前記心電図信号記録器６の電源を投入するだけで、心電図の記録を開始することができる。なお、前記着帯部４は、弾性体３を有することから、被検者２の体格に応じて伸縮して、前記電極５ａ乃至５ｃが前記特定部位に配置されるので、体格が多少相違する被検者２同士でも同じサイズの心電図用電極装着帯１を使用することができる。また、前記電極５ａは前記右肩後部２ａから右肩上部２ｂを介して右肩前部２ｃまでの範囲にて移動させることができることから、被検者２の体格に応じ、前記電極５ａを前記特定部位に適切に位置させることにより、体格が相違する被検者２同士でも同じサイズの心電図用電極装着帯１を使用することができる。
【００３１】
上記のようにして、前記心電図用電極装着帯１を装着した被検者２は、該心電図用電極装着帯１の上に衣服を着用し、普段どおりの生活を行うことができる。すなわち、体表に着けられる電極５ａ乃至５ｃは、粘着剤等による貼着でなく、弾性体３の付勢力によって体表に密着され、なおかつ、前記３つの電極５ａ乃至５ｃは前記着帯部４と一体になっているので、該心電図用電極装着帯１を一度脱いでも再び着れば、自然に前記電極５ａ乃至５ｃは配置されるべき体表の特定部位に密着され、再び心電図の記録をとることができる。このため、自宅等の病院以外の場所であっても独りで前記電極５ａ乃至５ｃの着脱をすることができ、従来、携帯型心電計等により心電図を記録する場合に制限されていた入浴等を行うことができる。
【００３２】
また、前記着帯部４が帯状体のものからなり、前記電極５ａ乃至５ｃとともに、女性の乳房を含む胸部中心部２ｎおよび該着帯部４が設けられていない他側の肩部である左肩部を回避するように形成されているので、従来の心電図用電極装着具を装着した場合に生じる違和感や拘束感等も殆ど生じない。このため、被検者２は前記心電図用電極装着帯１の装着を意識することなく、上半身を自由に動かして、普段通りの生活を送ることができ、又、男女を問わず使用することができる。さらに又、夏場の暑さ等によって被検者２が汗をかいても、電極５ａ乃至５ｃは弾性体３の付勢力により体表に密着されているので、従来の電極のように剥がれ落ちるといった心配がなく、加えて、長期間装着時に、皮膚にかぶれ、かゆみ等が発生しにくいという利点がある。
【００３３】
なお、前記心電図用電極装着帯１は、前記着帯部４の適所に設けられた前記弾性体３によって自在に伸縮するものであるので、被検者２はこれを独りで着脱することが可能であるが、その一部を分割接続可能な構成とすることで着脱を更に容易にすることができる。例えば、被検者２が装着したときに前胸部または側胸部に配置される前記帯状縦布地４ａ若しくは前記帯状環布地４ｂ（図１または図２）の一部を分割し、分割により生じた分割端部の双方に面ファスナやスナップ等の接続具を取り付けて該分割端部同士を簡単に手で分割接続可能な構成のものとすることで、前記心電図用電極装着帯１の着脱が更に容易になるだけでなく、サイズの調整機能を付加することができる。
【００３４】
前記心電図用電極装着帯１を装着した被検者２の体表から前記電極５ａ乃至５ｃを通じて取得されたデータは、前記心電図情報記録器６に蓄積され、病院等に設置されたデータ解析装置等によってその蓄積された連続的なデータ及び発作時などの短時間のデータの集合体が処理され、紙面上、或いはモニタ上に心電図として表示される。
【００３５】
なお、前記心電図信号記録器６に蓄積される心電図のデータをパーソナル・コンピュータ等へ取り込み、インターネットを利用して病院等へ送信するようにすれば、被検者２は、病院等へわざわざ足を運ぶことなく、記録した心電図のデータを瞬時に届けることができる。
【００３６】
一方、前記心電図信号記録器６の代わりに、電極５ａ乃至５ｃから取得する信号を無線によって送信する、図外の、心電図信号発信器（心電図信号処理器）を使用し、病院内に該信号の受信、処理及び出力をする装置を設置し、これらを病院の入院患者のモニター心電図に使用すれば、電極が前記入院患者の体表から剥がれ落ちる心配がないので、確実に心臓発作等の異常の検出等を行うことができる。加えて、従来ベッド或いは病棟内に行動範囲を制限されていた前記入院患者の行動範囲を広げることが可能である。
【００３７】
【発明の効果】
上記の説明から明らかなように、請求項１又は２記載の心電図用電極装着帯によれば、一度装着した後に、該心電図用電極装着帯を脱いでも、再び装着するだけで、該心電図用電極装着帯に設けられた２つ又は３つの電極が体表の元の特定部位に再び配置、密着されることから、例えば入浴をする場合など、必要なときに、被検者自身で着脱することが可能である。また、電極は弾性体の付勢力によって体表に密着されているので、発汗等により剥がれ落ちる心配がなく、入院患者のモニター心電図にも適している。さらにまた、かぶれ、かゆみ等の発生も防止される。
【００３８】
さらにまた、着帯部が帯状体のものからなり、電極とともに、女性の乳房を含む胸部中心部を回避するように形成されていることから、従来の心電図用電極を貼着した場合に生じる違和感や拘束感等も殆ど生じない。このため、被検者は該心電図用電極装着帯の装着を意識することなく、上半身を自由に動かして、普段通りの生活を送ることができ、又、男女を問わず使用することができる。
【００３９】
請求項３記載の心電図用電極装着帯は、請求項１又は２記載の心電図用電極装着帯において、電極が移動可能に設けられているので、被検者の体格の相違等に従い最適な部位に電極を位置させることにより、体格が相違する被検者同士でも同じサイズの心電図用電極装着帯を使用することができる。
【図面の簡単な説明】
【図１】本発明の実施の形態に係る心電図用電極装着帯を被検者が装着した状態を示した図であって、被検者の正面を示したものである。
【図２】本発明の実施の形態に係る心電図用電極装着帯の変形例を示した斜視図である。
【図３】本発明の実施の形態に係る心電図用電極装着帯の変形例を示した斜視図である。
【図４】従来例に係る携帯型心電図計を被検者が装着した状態を示した図であって、被検者の正面を示したものである。
【符号の説明】
１  心電図用電極装着帯
２  被検者
２ａ  右肩後部
２ｂ  右肩上部
２ｃ  右肩前部
２ｄ  右前胸部
２ｅ  右側胸部
２ｆ  右背部
２ｇ  左肩後部
２ｈ  左肩上部
２ｉ  左肩前部
２ｊ  左前胸部
２ｋ  左側胸部
２ｌ  左背部
２ｍ  胸部中央部
２ｎ  胸部中心部
３  弾性体
４  着帯部
５ａ乃至５ｃ  電極
６  心電図信号記録器、心電図信号発信器、心電図信号処理器
７  ホルダー
８  電極取付部
【図１】
2004261282.tif 000003
【図２】
2004261282.tif 000004
【図３】
2004261282.tif 000005
【図４】
2004261282.tif 000006